(57)【要約】      （修正有）【課題】白熱電球からの発光を変色して投光する照明用変色灯装置の提供。【解決手段】円筒状に形成されている遮光体１の一方の開口部１ａ側は白熱電球３のソケット４が設けられた基盤２に取付けて閉塞され、他方の開口部１ｂ側には透光性のグローブ蓋５が着脱自在に取付けられ、遮光体１内には、ソケット４に対面して１個のネジ棒９を中心の支持軸として共有する、ほぼ同一の大きさの非透光性の支持板１１、発色板１２及び選色制御板１３が順次積層して収容され、支持板１１は遮光体１に密に内接して遮光体１に取り外し可能に取付けられ、発色板は支持板とネジ棒９に回転可能に装着された選色制御板１３との間に回転不能に設けられ、支持板と発色板には相対応した同一円周上に沿ってそれぞれ複数個の窓穴１１ａ，１２ａが等間隔に設けられ、発色板の各窓穴１２ａは異色の発色透光部とされる一方、選色制御板には同一色光のみを投光できる窓穴１３ａが設けられている。【選択図】図１
0003116643.tif 000002
【実用新案登録請求の範囲】
【請求項１】
円筒状に形成されている遮光体の一方の開口部側は白熱電球のソケットが設けられている基盤に取付けて閉塞されていると共に、他方の開口部側には透光性のグローブ蓋が着脱自在に取付けられており、この遮光体内には、上記ソケットに対面して１個のネジ棒を中心の支持軸として共有する、ほぼ同一の大きさである非透光性の支持板、発色板及び選色制御板が順次積層して収容され、支持板は遮光体に密に内接して該遮光体に取り外し可能に取付けられていると共に、発色板は支持板と上記ネジ棒に回転可能に装着された選色制御板との間に回転不能に設けられており、支持板と発色板には相対応した同一円周上に沿ってそれぞれ複数個の窓穴が等間隔に設けられ、発色板の各窓穴は異色の発色透光部として機能付けられている一方、選色制御板には発色透光部による同一色光のみを投光できるように配置された窓穴が設けられていることを特徴とする照明用変色灯装置。
【請求項２】
ネジ棒には、四角形に形成した中間部分を残して、上下にネジが刻設されていることを特徴とする請求項１記載の照明用変色灯装置。
【請求項３】
異色の発色透光部は発色板の各窓穴に異色の色彩媒体を張設して構成されていることを特徴とする請求項１又は２記載の照明用変色灯装置。
【請求項４】
支持板と発色板に設けられる窓穴はそれぞれ６個であることを特徴とする請求項１、２又は３記載の照明用変色灯装置。
【請求項５】
選色制御板の窓穴は、発色板の窓穴に対応させて、１８０°の間隔で２個設けられていることを特徴とする請求項４記載の照明用変色灯装置。
【請求項６】
選色制御板の窓穴は、発色板の窓穴に対応させて、等間隔に３個設けられていることを特徴とする請求項４記載の照明用変色灯装置。
【考案の詳細な説明】
【技術分野】
【０００１】  本考案は色光を手動操作により簡単に変更できる照明用変色灯装置に関する。
【考案の開示】
【考案が解決しようとする課題】
【０００２】  例えば、電球による庭園等の照明で色光を変える場合は、予め備えておいた異色の電球から所望の色電球を選んで、光源である電球を取り替えて目的の色光を得るようにしているのが通常行なわれている方法である。この通常の手法では、電球の取り替えという煩わしさは勿論、異色の電球の複数個を常時備えておく必要があり、装飾用等に用いられる豆電球以外の通常の照明に用いられている電球では経済性の点で問題があった。【０００３】  本考案はこのような問題を解決したものであって、その目的は、光源としては通常の白熱電球を取り替えることなくそのまま用いることができて、この白熱電球からの発光を、複数色に仕切られている発色板と該発色板の各各の発色透光部を開閉して同一色光のみを投光させる選色制御板によって、容易確実に変色させることができる照明用変色灯装置を提供することにある。
【課題を解決するための手段】
【０００４】  上記目的を達成するために、本考案の特徴とする照明用変色灯装置は、円筒状に形成されている遮光体の一方の開口部側は白熱電球のソケットが設けられている基盤に取付けて閉塞されていると共に、他方の開口部側には透光性のグローブ蓋が着脱自在に取付けられており、この遮光体内には、上記ソケットに対面して１個のネジ棒を中心の支持軸として共有する、ほぼ同一の大きさである非透光性の支持板、発色板及び選色制御板が順次積層して収容され、支持板は遮光体に密に内接して該遮光体に取り外し可能に取付けられていると共に、発色板は支持板と上記ネジ棒に回転可能に装着された選色制御板との間に回転不能に設けられており、支持板と発色板には相対応した同一円周上に沿ってそれぞれ複数個の窓穴が等間隔に設けられ、発色板の各窓穴は異色の発色透光部として機能付けられている一方、選色制御板には発色透光部による同一色光のみを投光できるように配置された窓穴が設けられている構成である。【０００５】  この照明用変色灯装置において、支持板、発色板及び選色制御板の素材には合成樹脂板を用いることができ、これらの３部材に設けられている窓穴の大きさは全て同等であり、また、支持板と発色板の窓穴は同数であって、実用的には６個であることが好ましい。発色板の発色透光部は該発色板の各窓穴に異色の色彩媒体（例えば、透光性色フイルム等）を張設して構成されるものであって、例えば、６個の窓穴に２色或いは３色が交互に配列されており、前者の２色の場合に適用できる選色制御板には窓穴が３個等間隔に設けられている一方、後者の３色の場合に適用できる選色制御板には窓穴が１８０°の間隔で２個設けられている。【０００６】  支持板、発色板及び選色制御板の３部材を貫通して設けられているネジ棒は四角形に形成した中間部分を残してネジ（雌ネジ）が刻設され、その上下位置でナット止めして上記３部材を積層状態に支持している。発色板は該発色板に穿設した角穴をネジ棒の四角形の部分に嵌合して回転不能に支持されていると同時に、支持板とは双方の窓穴を一致させて重合している。
【考案の効果】
【０００７】  本考案は上記の如くであって、発色透光部を選色制御板の手動回転操作により開閉して同一色の発色透光部のみを開放すれば、非透光性の支持板、発色板及び選色制御板の開放された窓穴を通して、混色の無い単一の色光を確実に投光できる。この場合、発色透光部の色を変更して用いることによって多くの色の中から一つの色光を随時投光させることが可能であり、屋内外を問わずに安直に使用できることは勿論、電球等の電気部品材を除いた構成部材には全て安価な素材である合成樹脂板を用いることができて製作面からも有効である。
【考案を実施するための最良の形態】
【０００８】  以下に、本考案の実施の一形態を図面を参照して説明する。１は円筒状に形成されている遮光体であって、遮光体１の一方の開口部１ａ側は白熱電球３のソケット４が設けられている基盤２に取付けて閉塞されていると共に、他方の開口部１ｂ側には透光性（半透明を含む）のグローブ蓋５が着脱自在に取付けられている。遮光体１の基盤４への取付けは、止めネジ６を用いて、複数箇所を結合することにより果たされ、また、グローブ蓋５の基盤２への取付けは該両部材の嵌合部分に設けた螺合部７により果たされている。８はグローブ蓋５の螺合部側に形成されている肩部である。【０００９】  遮光体１内には、ソケット４に対面して１個のネジ棒９を中心の支持軸として共有する、ほぼ同一の大きさである非透光性の支持板１１、発色板１２及び選色制御板１３の３部材が順次積層して収容されており、支持板１１は遮光体１に密に内接して該遮光体１に螺合部１４を介して取り外し可能に固定されている一方、選色制御板１３はネジ棒９に回転可能に支持され、その選色制御板１３と支持板１１の間に発色板１２がネジ棒９を介して回転不能に設けられている。即ち、ネジ棒９には四角形に形成した中間部分９ａを残して上下にネジ（雌ネジ）９ｂ，９ｃが刻設され、図上で下側のネジ９ｂには支持板１１の上下両面に当接してナット１５とネジ座金１６を、また図上で上側のネジ９ｃには選色制御板１３の上面に当接してナット１７をそれぞれ螺合し、上記３部材を積層状態に支持している。【００１０】  １１ａ，１２ａ，１３ａは支持板１１と発色板１２及び選色制御板１３に相対応した同一円周上に沿ってそれぞれ等間隔に設けた窓穴であって、支持板１１と発色板１２の窓穴１１ａと１２ａはそれぞれ６個設けられており、発色板１２の各窓穴１２ａは異色の発色透光部として機能付けられている。選色制御板１３の窓穴１３ａは、上記発色透光部による同一色光のみを投光できるように、２個又は３個設けることが実用上好ましく、図示の場合は等間隔に３個設けられているが、２個の場合は１８０°の間隔で設ける。１１ｂと１３ｂは支持板１１と選色制御板１３に穿設されているバカ穴、１２ｂは、ネジ棒９の中間部分９ａに嵌め外し自在であるように、発色板１２に穿設されている角孔である。【００１１】  次に、発色透光部の一つの構成例を説明する。発色板１２の周縁には内方へ向けて折り返し１８を形成し、この折り返し１８の部分で各窓穴１２ａに張設した異色の色彩媒体（透光性色フイルム等）２１を挟着する。図示の場合、２種類の色の透光性色フイルムが６個の窓穴１２ａに同色のものが一つおきに張設された配列になっている。１９は各各の窓穴１２ａの両側に位置させて突設した仕切部であって、この仕切部１９によって透光性色フイルム２１の不当な移動を防止できる。なお、本考案品は白熱電球等の電気部品を除いた部材は全て合成樹脂を用いて構成できる。
【図面の簡単な説明】
【００１２】
【図１】  本考案の実施例の一形態を示す正断面図である。
【図２】  図１に示す支持板の平面図である。
【図３】  図２のＡ−Ａ線断面図である。
【図４】  図１に示す発色板の平面図である。
【図５】  図４のＢ−Ｂ線断面図である。
【図６】  図１に示す選色制御板の平面図である。
【図７】  図６のＣ−Ｃ線断面図である。
【符号の説明】
【００１３】  １は遮光体、１ａ，１ｂは開口部、２は基盤、３は白熱電球、４はソケット、５はグローブ蓋、７は螺合部、９はネジ棒、９ａは中間部分、９ｂ，９ｃはネジ、１１は支持板、１１ａは窓穴、１２は発色板、１２ａは窓穴、１３は選色制御板、１３ａは窓穴、１４は螺合部、１５はナット、１６はネジ座金、１７はナット、２１は色彩媒体である。
【図１】
0003116643.tif 000003
【図２】
0003116643.tif 000004
【図３】
0003116643.tif 000005
【図４】
0003116643.tif 000006
【図５】
0003116643.tif 000007
【図６】
0003116643.tif 000008
【図７】
0003116643.tif 000009